(57)【要約】【課題】美粧性を高めつつ、情報を表示し易い紙製容器を形成できるブランクを提供する。【解決手段】ブランク１１は、筒状の側壁２とその上下端を閉塞する上下対称な天板３及び底板４とを備えた紙製容器１を形成するためのものである。天板３及び底板４は、Ｎ（Ｎは６以上の偶数）角形状である。ブランク１１の側壁２は、前板部７、側板部８、後板部９、側板部１０が順次連接されて構成される。側板部９、１０は、上辺１２の頂点１３、１４から対応する下辺１５の頂点１６、１７まで第１菱形領域１８が１以上区画されている。側板部９、１０には、第１菱形領域１８の各辺を含んで延設された山折線１９と、山折線１９で囲まれる第２菱形領域２０の横方向の対角線に沿って延設された谷折線２１とが形成される。【選択図】図２
2020066464.tif 000002
【特許請求の範囲】
【請求項１】
筒状の側壁と、相互に距離Ｈを置いて対向し、該側壁の上下端を閉塞する上下対称な天板及び底板とを備えた紙製容器を形成するためのブランクであって、
天板及び底板の各々は、対向する辺がいずれも平行であり、かつ、対向する一対の辺が相互に等しい長さＸを有するとともに他の辺が全て等しい長さＹを有するＮ（Ｎは６以上の偶数）角形状であり、
側壁は、前板部、側板部、後板部、側板部が順次連接され、
前記側板部は、上辺の中間部の頂点から対応する下辺の中間部の頂点までＭ個の横方向の対角線が長さＹで縦方向の対角線が長さＨ／Ｍの第１菱形領域が１以上区画され、
該側板部には、前記第１菱形領域の各辺を含んで延設された山折線と、該山折線で囲まれる第２菱形領域の横方向の対角線に沿って延設された谷折線とが形成されていることを特徴とするブランク。
【請求項２】
請求項１記載のブランクにおいて、
縦方向に延びる第２山折線をさらに有し、
該第２山折線は、前記側板部の隅部から延設された前記山折線の該隅部と該隅部に隣接した三角形領域の頂点との中間部を結ぶものであることを特徴とするブランク。
【発明の詳細な説明】
【技術分野】
【０００１】
本発明は、紙製容器を形成するための紙製容器用ブランクに関する。
【背景技術】
【０００２】
従来、紙製容器として、天板と底板との間の多角筒状側板が、斜め方向の複数の折曲げ線と、これに対して逆方向に傾いた斜め方向の複数の折曲げ線と、各折曲げ線の交点を水平方向に結ぶ水平折曲げ線とで三角形の領域に分割されたものが知られている（例えば、特許文献１参照）。この特許文献１の紙製容器によれば、隣接する分割領域が規則的に屈曲を繰り返することによって紙製容器の胴部の表面にダイヤ状の凹凸が現れるので、美粧性を高めることができる。
【先行技術文献】
【特許文献】
【０００３】
【特許文献１】特開平１０−５９３４７号公報
【発明の概要】
【発明が解決しようとする課題】
【０００４】
しかしながら、上記特許文献１の紙製容器では、上述のとおり胴部の表面が凸凹しているため、商品名や紙製容器の内容物に関する情報などを多角筒状側板上に表示するのが困難である。
【０００５】
本発明の目的は、かかる従来技術の課題に鑑み、美粧性を高めつつ、情報を表示し易い紙製容器を形成できるブランクを提供することにある。
【課題を解決するための手段】
【０００６】
本発明の包装用ブランクは、
筒状の側壁と、相互に距離Ｈを置いて対向し、該側壁の上下端を閉塞する上下対称な天板及び底板とを備えた紙製容器を形成するためのブランクであって、
天板及び底板の各々は、対向する辺が距離Ｈを置いていずれも平行であり、かつ、対向する一対の辺が相互に等しい長さＸを有するとともに他の辺が全て等しい長さＹを有するＮ（Ｎは６以上の偶数）角形状であり、
側壁は、前板部、側板部、後板部、側板部が順次連接され、
前記側板部は、上辺の中間部の頂点から対応する下辺の中間部の頂点までＭ個の横方向の対角線が長さＹで縦方向の対角線が長さＨ／Ｍの第１菱形領域が１以上区画され、
該側板部には、前記菱形領域の各辺を含んで延設された山折線と、該山折線で囲まれる第２菱形領域の横方向の対角線に沿って延設された谷折線とが形成されていることを特徴とする。
【０００７】
本発明によれば、筒状の側壁のうち、側板にはダイヤ状の凹凸を設けて美粧性を高めるとともに、前板部及び後板部を平坦にすることで情報を表示し易くすることができる。
【０００８】
本発明において、縦方向に延びる第２山折線をさらに有し、該第２山折線は、前記側板部の隅部から延設された前記山折線の該隅部と該隅部と隣接した三角形領域の上部頂点との中間部を結ぶものであってもよい。
【０００９】
これによれば、前板部及び後板部の左右側縁は、第２山折線の両端から第１山折線が上下隅部に向かって延設されたものと一致し、先端が漸次離間する略コの字状に形成される。したがって、ブランクを該左右側縁に沿って折り曲げると、紙の弾性によって前板部及び後板部は、第１山折線と第２山折線との交点で湾曲され、側面視略船底型に形成される。よって、前板部及び後板部の表示容易性を確保しつつ、前板部及び後板部の美粧性も高めることができる。
【図面の簡単な説明】
【００１０】
【図１】本発明の第１実施形態に係るブランクにより形成される紙製容器の斜視図である。
【図２】図１の紙製容器を形成するためのブランクの平面図である。
【図３】本発明の第２実施形態に係るブランクにより形成される紙製容器の斜視図である。
【図４】図３の紙製容器を形成するためのブランクの平面図である。
【図５】本発明の第３実施形態に係るブランクの平面図である。
【発明を実施するための形態】
【００１１】
以下、図面を用いて本発明の実施形態を説明する。図１は、本発明の第１実施形態に係る紙製容器の斜視図である。この紙製容器１は、筒状の側壁２と、相互に距離Ｈを置いて対向し、側壁２の上下端を閉塞する上下対称な天板３及び底板４とを備える。
【００１２】
天板３及び底板４はそれぞれ、８角形状であり、対向する辺がいずれも平行であり、かつ、対向する一対の辺５が相互に等しい長さＸを有するとともに他の辺６が全て等しい長さＹを有する。側壁２は、前板部７、側板部８、後板部９、側板部１０を順次連接して備える。本実施形態では、長さＸは、長さＹよりも大きい。
【００１３】
図２は、紙製容器１を形成するためのブランクの表面側を示す。なお、このブランク１１において、紙製容器１の各部と対応する部分の名称及び符号については、紙製容器１の場合と同じ名称及び符号を用いて示している。
【００１４】
図２に示すように、ブランク１１における側壁２は、上述のように、前板部７、側板部８、後板部９、側板部１０を横方向（左右方向）に順次連接して備える。
【００１５】
ブランク１１の側板部８及び１０のそれぞれにおいては、上辺１２の中間部の頂点１３、１４から、対応する下辺１５の中間部の頂点１６、１７までのそれぞれの間において、Ｍ個（本実施形態では２個）の第１菱形領域１８が区画されている。第１菱形領域１８は、横方向の対角線が長さＹ（＝辺５の長さＹ）であり、縦方向の対角線が長さＨ／Ｍである。なお、Ｈは、上辺１２から下辺１５までの距離に等しい。
【００１６】
また、側板部８、１０には、第１菱形領域１８の各辺を含んで延設された山折線１９と、山折線１９で囲まれる第２菱形領域２０の横方向の対角線に沿って延設された谷折線２１とが形成されている。したがって、各第１菱形領域１８は、第２菱形領域２０でもある。
【００１７】
また、ブランク１１は、縦方向に延びる第２山折線１９ｂを有する。第２山折線１９ｂは、側板部８及び１０の各隅部Ｃから延設された山折線１９の該隅部Ｃと該隅部Ｃに隣接した三角形領域Ｔの頂点との中間部を結ぶものである。この場合の中間部には、端部も含まれる。三角形領域Ｔは、第１菱形領域１８を二等分した形状を有する。前板部７及び後板部９の内側には、山折線及び谷折線のいずれも形成されていない。
【００１８】
側板部１０の右側には、側壁２の形成に際して前板部７の左端縁側に重なって接合する接合部２２が設けられる。前板部７の左端縁側及び接合部２２には、これらを相互に接合するための接着代又は相互に噛み合う噛合い部が設けられる。
【００１９】
本実施形態では、この噛合い部として、側板部１０と接合部２２との境界近傍に設けられた３つのスリット２３と、前板部７の左端縁に罫線を介して接続された３つの挿入噛合い片２４とで構成されたものを採用している。各挿入噛合い片２４は、対応するスリット２３に挿入され、スリット２３の両端部に噛み合うように構成される。
【００２０】
後板部９の上端縁には天板３の長さＸを有する辺が、罫線を介して接続される。天板３の該長さＸを有する辺から１つ置きの各辺には、噛合い片２５が設けられる。側壁２の上端縁には、該各辺以外の天板３の辺に対応する位置に、噛合い片２５と噛み合って結合し得る結合片２６がそれぞれ罫線を介して設けられる。
【００２１】
側壁２の下端縁には、紙製容器１の底板４を形成するための複数の底板フラップＦＰ１〜ＦＰ８が接続される。底板フラップＦＰ１〜ＦＰ８は、底板４の各辺に対応する位置にそれぞれ罫線を介して接続され、接着剤を用いることなく、重ね合わせるだけで底板４を形成することができるように構成される。
【００２２】
ブランク１１により紙製容器１を形成するには、例えば、まず、側壁２を裏面側が内側になるように丸めて前板部７の内側に接合部２２を配置しながら各スリット２３に各挿入噛合い片２４を挿入する。そして、スリット２３の両端部に挿入噛合い片２４の両端部を噛み合わせる。これにより、接合部２２が前板部７の内側に接合され、紙製容器１の側壁２がほぼ形成される。
【００２３】
なお、このとき、前板部７、側板部８、後板部９、側板部１０が適切に形成されるように、予め、山折線１９、谷折線２１、第２山折線１９ｂを若干折り曲げておくようにしてもよい。
【００２４】
次に、フラップＦＰ５、フラップＦＰ４とＦＰ６、フラップＦＰ３とＦＰ７、フラップＦＰ２とＦＰ８及びフラップＦＰ１をこの順で罫線に沿って折り曲げ、フラップＦＰ１をフラップＦＰ５の内側に挿入することにより、底板４を形成する。
【００２５】
次に、側壁２に接続されている各結合片２６を罫線に沿って裏面側に折り曲げ、天板３の各噛合い片２５を罫線に沿って裏面側に折り曲げる。さらに、天板３を罫線に沿って裏面側に折り曲げながら、各噛合い片２５を各結合片２６の間に挿入し、これらを噛み合わせる。これにより天板３により閉じられた紙製容器１が完成する。
【００２６】
第１実施形態によれば、筒状の側壁２のうち、側板部８及び１０にはダイヤ状の凹凸を設けて美粧性を高めるとともに、前板部７及び後板部９を平坦にすることで情報を表示し易くすることができる。
【００２７】
また、ブランク１１は、縦方向に延びる第２山折線１９ｂをさらに有するので、前板部７及び後板部９の左右側縁は、第２山折線１９ｂとその両端から第１山折線１９が上下隅部Ｃに向かって延設されたものとに一致し、先端が漸次離間する略コの字状に形成される。
【００２８】
したがって、ブランク１１を該左右側縁に沿って折り曲げると、ブランク１１を構成する紙の弾性によって、前板部７及び後板部９は、第１山折線１９と第２山折線１９ｂとの交点で湾曲され、側面視略船底型に形成される。よって、前板部７及び後板部８における表示容易性を確保しつつ、前板部７及び後板部８の美粧性も高めることができる。
【００２９】
図３は、第２実施形態に係る紙製容器の斜視図である。図３に示すように、この紙製容器１ｂは、筒状の側壁２ｂと、側壁２ｂの上下端を閉塞する上下対称な天板３ｂ及び底板４ｂとを備える。
【００３０】
天板３ｂ及び底板４ｂは、６角形状であり、対向する辺が距離Ｈｂを置いていずれも平行であり、かつ、対向する一対の辺５ｂが相互に等しい長さＸｂを有するとともに他の辺６ｂが全て等しい長さＹｂを有する。側壁２ｂは、前板部７ｂ、側板部８ｂ、後板部９ｂ、及び側板部１０ｂを順次連接して備える。本実施形態では、長さＸｂは、長さＹｂに等しい。
【００３１】
図４は、紙製容器１を形成するためのブランクの表面側を示す。このブランク１１ｂは、天板３ｂ及び底板が６角形状であることに対応して、第１、第２菱形領域の数などが異なる以外は、図２のブランク１１と同様の形態を有する。
【００３２】
すなわち、図４に示すように、本実施形態のブランク１１ｂにおける側壁２ｂは、前板部７ｂ、側板部８ｂ、後板部９ｂ、側板部１０ｂを横方向（左右方向）に順次連接して備える。
【００３３】
側板部８ｂ及び１０ｂのそれぞれにおいては、上辺１２ｂの中間部の頂点２７から、対応する下辺の中間部の頂点２８までの間において、Ｍ（＝１）個の第１菱形領域１８ｂが区画されている。第１菱形領域１８ｂは、横方向の対角線が上記の長さＹｂであり、縦方向の対角線が長さＨｂ／Ｍである。
【００３４】
また、側板部８ｂ、１０ｂには、第１菱形領域１８ｂの各辺を含んで延設された山折線１９ｃと、山折線１９ｃで囲まれる第２菱形領域２０ｂの横方向の対角線に沿って延設された谷折線２１ｂとが形成されている。したがって、第１菱形領域１８ｂは、第２菱形領域２０ｂでもある。
【００３５】
ブランク１１ｂは、縦方向に延びる第２山折線１９ｄをさらに有する。第２山折線１９ｄは、側板部８ｂ及び１０ｂの各隅部Ｃから延設された山折線１９ｃの該隅部Ｃと該隅部Ｃに隣接した三角形領域Ｔｂの頂点との中間部を結ぶものである。三角形領域Ｔｂは、第１菱形領域１８を二等分した形状を有する。前板部７ｂ及び後板部９ｂには、山折線及び谷折線のいずれも形成されていない。
【００３６】
側板部１０ｂの右側には、側壁２ｂの形成に際して前板部７ｂの左端縁部分と重なって接合する接合部２２ｂが設けられる。前板部７ｂの左端縁側及び接合部２２ｂには、図２のブランク１の場合と同様に、これらを相互に接合するためのスリット２３ｂ及び挿入噛合い片２４ｂが設けられる。
【００３７】
後板部９ｂの上端縁には、天板３ｂの長さＸｂを有する辺が罫線を介して接続される。天板３ｂには、図２のブランク１１の場合と同様に、噛合い片２５ｂが設けられ、側壁２ｂの上端縁には、対応する結合片２６ｂがそれぞれ罫線を介して設けられる。側壁２の下端縁には、図２のブランク１１の場合と同様に、複数の底板フラップＦｂ１〜Ｆｂ６が接続される。
【００３８】
ブランク１１ｂによる紙製容器１ｂの形成は、第１実施形態のブランク１１により紙製容器１を形成する場合の手順と同様にして行うことができる。第２実施形態によっても、第１実施形態の場合と同様の効果を奏することができる。
【００３９】
図５は、本発明の第３実施形態に係るブランクの平面図である。このブランク１１ｃでは、形成される紙製容器の天板３ｃ及び底板は、対向する辺が距離Ｈｃを置いていずれも平行であり、かつ、対向する一対の辺が相互に等しい長さＸｃを有するとともに他の辺が全て等しい長さＹｃを有するＮ（Ｎ＝８）角形状である。側壁２ｃは、前板部７ｃ、側板部８ｃ、後板部９ｃ、側板部１０ｃが順次連接して構成される。
【００４０】
側板部８ｃ及び１０ｃそれぞれの上辺１２ｃの中間部の頂点３０及び３１から対応する下辺１５ｃの中間部の頂点３２及び３３までのそれぞれにおいて、横方向の対角線が長さＹｃで縦方向の対角線が長さＨｃ／Ｍ（＝Ｈｃ）であるＭ（Ｍ＝１）個の第１菱形領域１８ｃが区画される。すなわち、第１菱形領域１８ｃは、側板部８ｃ及び１０ｃのそれぞれにおいて横方向に２つずつ並ぶように区画される。
【００４１】
そして、側板部８ｃ、１０ｃには、第１菱形領域１８ｃの各辺を含んで延設された山折線１９ｅと、山折線１９ｅで囲まれる第２菱形領域２０ｃの横方向の対角線に沿って延設された谷折線２１ｃとが形成される。
【００４２】
また、接合部２２ｃを前板部７ｃに接合するために、図２のブランク１１におけるスリット２３及び挿入噛合い片２４に代えて、接合部２２ｃが接着しろ３４として用いられる。すなわち、前板部７ｃに接合部２２ｃを接合する際には、接合部２２ｃが前板部７の裏側に接着される。他の点については、第１実施形態の場合と同様である。
【００４３】
以上、本発明の実施形態について説明したが、本発明はこれに限定されない。例えば、本発明は、天板及び底板が６角形状や８角形状である紙製容器に限らず、他のＮ（Ｎは６以上の偶数）角形状である紙製容器を形成するためのブランクにも適用することができる。また、ブランク１１、１１ｂ、１１ｃは、左右を反転した形態を有していてもよい。
【００４４】
また、各側板部において区画される第１ひし形領域の横方向の数、すなわち該側板部の上辺及び下辺の中間部の頂点の数は、天板及び底板の角数ＮによってＮ／２−２のように決まり、６角形の場合１、８角形の場合２となるが、縦方向の数Ｍは任意である。すなわち、天板及び底板の角数Ｎが８である場合であっても、上記実施形態１のようにＭ＝２としたり、実施形態３のようにＭ＝１とすることができ、さらにＭ≧３とすることもできる。
【符号の説明】
【００４５】
１、１ｂ…紙製容器、２、２ｂ、２ｃ…側壁、３、３ｂ、３ｃ…天板、４、４ｂ…底板、５、５ｂ、６、６ｂ…辺、７、７ｂ、７ｃ…前板部、８、８ｂ、８ｃ、１０、１０ｂ、１０ｃ…側板部、９、９ｂ、９ｃ…後板部、１１、１１ｂ、１１ｃ…ブランク、１２、１２ｂ、１２ｃ…上辺、１３、１４、１６、１７、２７、２８、３０、３１、３２、３３…頂点、１５、１５ｂ、１５ｃ…下辺、１８、１８ｂ、１８ｃ…第１菱形領域、１９、１９ｃ、１９ｅ…山折線、１９ｂ、１９ｄ…第２山折線、２０、２０ｂ、２０ｃ…第２菱形領域、２１、２１ｂ、２１ｃ…谷折線、２２、２２ｂ、２２ｃ…接合部、２３、２３ｂ…スリット、２４、２４ｂ…挿入噛合い片、２５、２５ｂ…噛合い片、２６、２６ｂ…結合片、３４…接着しろ、ＦＰ１〜ＦＰ８、Ｆｂ１〜Ｆｂ６…底板フラップ、Ｔ、Ｔｂ…三角形領域。
【図１】
2020066464.tif 000003
【図２】
2020066464.tif 000004
【図３】
2020066464.tif 000005
【図４】
2020066464.tif 000006
【図５】
2020066464.tif 000007